(57)【特許請求の範囲】
【請求項１】
法面上に植生基材の収容域を形成する柵状体を立ち上げて設置し、この柵状体内に前記植生基材を吹き付け、前記柵状体内に収容された植生基材に植物を植え付ける法面の緑化工法であって、
その一端側の係止部を法面側に固定させ、他端側の係止部を前記柵状体側に係止させた状態で支柱支持体を前記柵状体内に設置し、さらに前記支柱支持体に設けられた支持部で下部又は中間部を、法面上から延設された線状体で上部を、それぞれ支持させた状態で立設された支柱により上部を保持されたカバー体で前記植物を覆うことを特徴とする法面の緑化工法。
【請求項２】
法面上に網状体を張設し、この網状体の上に鉄筋を格子状に配置し、かつ、この格子状の鉄筋上にモルタルまたはコンクリートを吹き付けて、格子状の膨出体を形成する一方、植生基材の収容域を形成する柵状体を、前記膨出体による格子状の枠内に立ち上げて設置し、この柵状体内と前記膨出体による格子状の枠内に植生基材を吹き付け、前記柵状体内に収容された植生基材に、植物を植え付ける法面の緑化工法であって、  その一端側の係止部を前記網状体に係止させ、他端側の係止部を前記柵状体に係止させた状態で支柱支持体を前記柵状体内に設置し、さらに前記支柱支持体に設けられた支持部で下部又は中間部を、法面上から延設された線状体で上部を、それぞれ支持させた状態で立設された支柱により上部を保持されたカバー体で前記植物を覆うことを特徴とする法面の緑化工法。
【請求項３】
前記支柱支持体には、前記植物を覆った状態の前記カバー体の下部を掛止するための掛止部を設ける請求項１または２に記載された法面の緑化工法。
【請求項４】
法面上に立ち上げて設置され植生基材の収容域を形成する柵状体と、  この柵状体内に収容された植生基材に植え付けられた植物と、
その一端側の係止部を法面側に固定させ、他端側の係止部を前記柵状体側に係止させた状態で前記柵状体内に設置された支柱支持体と、
前記支柱支持体に設けられた支持部で下部又は中間部を、法面上から延設された線状体で上部を、それぞれ支持させた状態で立設された支柱と、
前記支柱により上部を保持された状態で前記植物を覆うカバー体とを備えていることを特徴とする法面緑化構造。
【請求項５】
法面上に張設された網状体と、
この網状体の上に格子状に配置された鉄筋上にモルタルまたはコンクリートを吹き付けて形成された格子状の膨出体と、
前記膨出体による格子状の枠内に立ち上げて設置され植生基材の収容域を形成する柵状体と、
この柵状体内と前記膨出体による格子状の枠内に吹き付けられた植生基材と、
前記柵状体内に吹き付けられ収容された植生基材に植え付けられた植物と、
その一端側の係止部を前記網状体に係止させ、他端側の係止部を前記柵状体に係止させた状態で前記柵状体内に設置された支柱支持体と、
前記支柱支持体に設けられた支持部で下部又は中間部を、法面上から延設された線状体で上部を、それぞれ支持させた状態で立設された支柱と、
前記支柱により上部を保持された状態で前記植物を覆うカバー体とを備えていることを特徴とする法面緑化構造。
【請求項６】
前記支柱支持体には、前記植物を覆った状態の前記カバー体の下部を掛止するための掛止部を設けてある請求項４または５に記載された法面緑化構造。
【発明の詳細な説明】
【技術分野】
【０００１】
この発明は、法面の緑化工法および法面緑化構造に関するものである。
【背景技術】
【０００２】
法面上に植生基材の収容域を形成する柵状体を立ち上げて設置し、この柵状体内に植物種子を含む植生基材を吹き付け、前記柵状体内に収容された植生基材に、樹木苗、草花苗、蔓性植物の少なくとも一種を植え付ける法面の緑化工法として、下記特許文献１に示すものがある。
【０００３】
これは、法面を立体的に緑化させ法面の樹林化を簡易に達成することができる点で大変有益な工法である。
【０００４】
上記法面の緑化工法によれば、図１４に示すように、植生基材９が降雨のために流亡することが格子状の膨出体６によって防止され、かつ、植生基材９に含まれる植物種子が膨出体６による格子状枠内と柵状体８内とで発芽・生育することに加えて、膨出体６の格子状枠内に設置された柵状体８の多数の開口部ａからも植物種子が発芽・生育する。このようにして膨出体６の格子状横枠の上方部位において、柵状体８から立体的に植物種子が発芽・生育することで、法面２を法面直下から見た場合、膨出体６による格子状横枠が上記の立体的に発芽・生育した植物ｂ，ｃによって覆い隠されることで、さらには、生育した植物ｂ，ｃが膨出体６の格子状横枠に覆い被さることで、法面２の景観が良好となる。
【先行技術文献】
【特許文献】
【０００５】
【特許文献１】特開平０９−２８７１４３号公報
【発明の概要】
【発明が解決しようとする課題】
【０００６】
しかしながら、近年は鹿やカモシカなどの獣類による樹木の食害が深刻な問題となってきており、特に苗木は食害の被害に遭遇しやすく、格子状の膨出体が施工されるような急斜面であっても食害被害が懸念される。そこで植え付けた苗木に保護カバーを装着するといった何らかの食害防止対策を講じる必要があるが、上述の通り傾斜の厳しい現場では、そもそもが不安定なだけではなく、風雨や雪の影響も大きいため植え付けられた苗木が保護カバーと共に転倒して倒壊するおそれもあり、安定した食害防止対策が未だ確立されるに至っていない。
【０００７】
この発明は、法面上に植生基材の収容域を形成する柵状体を立ち上げて設置し、この柵状体内に前記植生基材を吹き付け、前記柵状体内に収容された植生基材に樹木苗を植え付けるとともに、鹿等の獣類による植物の食害対策を図るため支柱により上部を保持されたカバー体で樹木苗を覆い、例えば法面が岩盤のような硬質のものであっても支柱と植物の倒壊を防止することができる法面の緑化工法および法面緑化構造を提供することである。
【課題を解決するための手段】
【０００８】
上記目的を達成するために、この発明は、法面上に植生基材の収容域を形成する柵状体を立ち上げて設置し、この柵状体内に前記植生基材を吹き付け、前記柵状体内に収容された植生基材に植物を植え付ける法面の緑化工法であって、
その一端側の係止部を法面側に固定させ、他端側の係止部を前記柵状体側に係止させた状態で支柱支持体を前記柵状体内に設置し、さらに前記支柱支持体に設けられた支持部で下部又は中間部を、法面上から延設された線状体で上部を、それぞれ支持させた状態で立設された支柱により上部を保持されたカバー体で前記植物を覆うことを特徴とする法面の緑化工法を提供する（請求項１）。
【０００９】
また、この発明は別の観点から、法面上に網状体を張設し、この網状体の上に鉄筋を格子状に配置し、かつ、この格子状の鉄筋上にモルタルまたはコンクリートを吹き付けて、格子状の膨出体を形成する一方、植生基材の収容域を形成する柵状体を、前記膨出体による格子状の枠内に立ち上げて設置し、この柵状体内と前記膨出体による格子状の枠内に植生基材を吹き付け、前記柵状体内に収容された植生基材に、植物を植え付ける法面の緑化工法であって、
その一端側の係止部を前記網状体に係止させ、他端側の係止部を前記柵状体に係止させた状態で支柱支持体を前記柵状体内に設置し、さらに前記支柱支持体に設けられた支持部で下部又は中間部を、法面上から延設された線状体で上部を、それぞれ支持させた状態で立設された支柱により上部を保持されたカバー体で前記植物を覆うことを特徴とする法面の緑化工法を提供する（請求項２）。
【００１０】
そして、この発明は、前記支柱支持体には、前記植物を覆った状態の前記カバー体の下部を掛止するための掛止部を設ける請求項１または２に記載された法面の緑化工法を提供する（請求項３）。
【００１１】
また、この発明はさらに別の観点から、法面上に立ち上げて設置され植生基材の収容域を形成する柵状体と、この柵状体内に収容された植生基材に植え付けられた植物と、その一端側の係止部を法面側に固定させ、他端側の係止部を前記柵状体側に係止させた状態で前記柵状体内に設置された支柱支持体と、前記支柱支持体に設けられた支持部で下部又は中間部を、法面上から延設された線状体で上部を、それぞれ支持させた状態で立設された支柱と、前記支柱により上部を保持された状態で前記植物を覆うカバー体とを備えていることを特徴とする法面緑化構造を提供する（請求項４）。
【００１２】
さらに、この発明は、法面上に張設された網状体と、
この網状体の上に格子状に配置された鉄筋上にモルタルまたはコンクリートを吹き付けて形成された格子状の膨出体と、
前記膨出体による格子状の枠内に立ち上げて設置され植生基材の収容域を形成する柵状体と、
この柵状体内と前記膨出体による格子状の枠内に吹き付けられた植生基材と、
前記柵状体内に吹き付けられ収容された植生基材に植え付けられた植物と、
その一端側の係止部を前記網状体に係止させ、他端側の係止部を前記柵状体に係止させた状態で前記柵状体内に設置された支柱支持体と、
前記支柱支持体に設けられた支持部で下部又は中間部を、法面上から延設された線状体で上部を、それぞれ支持させた状態で立設された支柱と、
前記支柱により上部を保持された状態で前記植物を覆うカバー体とを備えていることを特徴とする法面緑化構造を提供する（請求項５）。
【００１３】
そして、この発明は、前記支柱支持体には、前記植物を覆った状態の前記カバー体の下部を掛止するための掛止部を設けてある請求項４または５に記載された法面緑化構造を提供する（請求項６）。
【発明の効果】
【００１４】
この発明は、法面上に植生基材の収容域を形成する柵状体を立ち上げて設置し、この柵状体内に前記植生基材を吹き付け、前記柵状体内に収容された植生基材に植物を植え付けるにあたり、支柱支持体の一端側の係止部を法面側に固定させ、支柱支持体の他端側の係止部を前記柵状体側に係止させた状態で支柱支持体を前記柵状体内に設置し、さらに前記支柱支持体に設けられた支持部で支柱の下部又は中間部を支持させ、前記支柱により上部を保持されたカバー体で前記植物を覆うとともに、法面上から延設された線状体で前記支柱の上部を支持させている。したがって、前記カバー体により鹿等の獣類による植物の食害を防止でき、しかも風雨や雪が作用しても、支柱は、その上部と下部、又はその上部と中間部とでの支持によって立設状態を強固に保ち続けることができ、転倒防止を図ることができる。
【図面の簡単な説明】
【００１５】
【図１】この発明の第１の実施形態における法面緑化工程の前半部分を示す斜視図である。
【図２】上記実施形態において、面緑化工程の後半部分であるカバー体で植物を覆う前の状態を示す構成説明図であって、構成部材である支柱支持体および支柱を省略している。
【図３】上記実施形態で用いる柵状体を示す斜視図である。
【図４】上記実施形態における法面緑化工程の後半部分を示す構成説明図である。
【図５】上記実施形態における法面緑化工程の後半部分を示す平面図である。
【図６】上記実施形態における法面緑化工程の後半部分で用いる構成部材を示す分解斜視図である。
【図７】上記実施形態で用いる支柱支持体を示す斜視図である。
【図８】この発明で用いるカバー体の変形例の成形工程を示す図である。
【図９】この発明の第２の実施形態における法面緑化工程の後半部分を示す構成説明図である。
【図１０】この発明の第３の実施形態で用いる支柱支持体を示す斜視図である。
【図１１】この発明の第４の実施形態で用いる支柱支持体を示す斜視図である。
【図１２】この発明で用いる柵状体の異なる設置状態を示す構成説明図である。
【図１３】この発明で用いる柵状体のさらに異なる設置状態を示す構成説明図である。
【図１４】従来例の法面緑化状態を示す構成説明図である。
【発明を実施するための形態】
【００１６】
以下、この発明の実施形態について図面に基づいて説明する。図１〜７は、支柱支持体を柵状体内の植生基材上に設置したこの発明の第１の実施形態を示す。図１に示すように、先ずは、合成樹脂製のネットや金網（ラス金網、亀甲金網等）などの網状体１を法面２上に張設し、かつ、短尺の補助アンカー３を打設して網状体１を固定する。そして、この網状体１の上に、一本乃至は複数本（図示例では上下に一本ずつ計２本。）の鉄筋４（図４では便宜上省略している）を格子状に配置するとともに、この鉄筋４を長尺の主アンカー５によって固定するとともに、後述する膨出体６によって囲われる網状体１がモルタルまたはコンクリートによって埋められないようにするために網状体１上に養生シート７を敷き詰める。続いて、前記格子状の鉄筋４を埋め込むようにして、鉄筋４上にモルタルまたはコンクリートを吹き付けて、格子状の膨出体６を形成する。その後、養生シート７を撤去する。この養生シート７の撤去作業は、鉄筋４上に吹き付けたモルタルまたはコンクリートが硬化した後に施される。次いで、予め用意した図３に示す形状の柵状体８を、前記膨出体６による格子状の枠内に立ち上げて設置する。この実施形態では、膨出体６の格子状横枠に沿わせるようにしてその上方部位に、前記柵状体８を立ち上げ設置する。この柵状体８は、後述する植生基材９の収容域を形成する。前記柵状体８は、図１，３，６に示すように、多数の開口部（図示する例では矩形状であるが、菱形など形状は不問であり、要は植生基材９が容易には零れ落ちない程度の大きさであればよい。）ａを有する金網を折り曲げて成形されているが、多数の開口部を成形した合成樹脂製の網状体などに変更可能である。具体的には、前記柵状体８は、図３に示すように、膨出体６の格子状横枠に沿う矩形状の網状柵部分８ａと、この網状柵部分８ａの左右両側に連設されて下側縁が法面２に沿う三角形状の網状柵部分８ｂ，８ｂとからなり、かつ、法面２に突刺させて固定するためのアンカー８ｃ…を備えている。
【００１７】
次に、前記柵状体８による空間部と膨出体６によって囲われた格子状の枠内のそれぞれに、例えば有機堆肥や化学肥料、植物性繊維、保水剤、土壌改良材などに植物種子を混合した植生基材９を吹き付ける。前記植物種子としては、トールフェスク、クリーピングレッドフェスク、ハイランドベントグラス、バーミューダグラス、レッドトップ等の外来の牧草種や、コスモスやカスミソウ、ナデシコ等の草花種、その他、ヤマハギやイタチハギ、コマツナギなどのような樹木種などの少なくとも一種が適宜選択されるのが好ましい。この実施形態におけるその後の施工手順の概要は以下の通りである。（１）前記柵状体８により形成された植生基材９の収容域に樹木苗ｂを植え付ける前に、図４〜７に示す支柱支持体１３を設置し（支柱支持体設置作業）、（２）支柱支持体１３の中央に設けられた支持部１４を通過するように支柱１６を鉛直に突き刺し（支柱立設作業）、（３）樹木苗ｂを植え付け（樹木苗植栽作業）、（４）カバー体１７を支柱１６に掛けて樹木苗ｂを覆い（カバー体被覆作業）、（５）線状体（例えばワイヤー）１５ａ，１５ｂによりカバー体１７の上から支柱１６を固定する（支柱固定作業）。なお、支柱立設作業と樹木苗植栽作業は作業の順番を逆にしてもよく、また、前記両作業を同時に行ってもよい。さらに、この実施形態では、支柱立設作業の後に樹木苗ｂ植栽作業を行うが、便宜上、図２においては支柱支持体１３および支柱１６を省略している。
【００１８】
前記樹木苗ｂとしては施工地周辺の生態系に配慮した樹種を選択することが重要であって、クロマツ、アカマツ、ケヤキ、コナラ、シラカシ、アラカシ、タニウツギ、アオキなどを挙げることができ、前記柵状体８に収容された植生基材９を法面２への客土として、ここに前記樹木苗ｂを植栽することで、法面２の周辺景観との調和や法面２の永続的安定化、自然界への回復などを目的とした樹木の導入による法面２の樹林化が将来的に達成される。なお、現地生態系に配慮し、植生基材に前記植物種子を導入せずに周囲から飛来してくる植物種子によって緑化を図ったり、施工地周辺で採取した表土（埋土種子）を利用することもできる。また、前記樹木苗ｂの植栽に追加して、草花苗、蔓性植物苗ｃ（図１，２参照）を植え付けてもよい。すなわち、キヅタ、ナツヅタ、ヘデラヘリックス、ヤマブドウなどの蔓性植物苗ｃを植え付けることで、蔓性植物が膨出体６に絡むようにして生育して、蔓性植物が膨出体６そのものを直接的に覆うことから、法面２の景観的な見栄えが一層良好なものとなる。また、チューリップ、スイセン、サクラソウ、ユリ、シバザクラなどの草花の球根や苗を植え付けることで、美しい花とりどりの見た目に安らぎを覚える法面２の緑化が達成される。なお、この実施形態では、樹木苗ｂの植栽に追加して、蔓性植物苗ｃ（図１，２参照）を植え付けているが、これには後述するカバー体１７を掛けずに、図４，６に示すように、保護対象である前記樹木苗ｂにのみカバー体１７が掛けられる（カバー体１７が覆われる）。
【００１９】
以下、上述した支柱支持体設置作業、支柱立設作業、樹木苗植栽作業、カバー体被覆作業、支柱固定作業について説明する。図４〜７に示すように、その一端側の係止部１１を前記網状体１に係止させ、他端側の係止部１２を前記柵状体８の網状柵部分８ａに係止させた状態で支柱支持体１３を柵状体８内の植生基材９上に設置し、さらに支柱支持体１３の中央に設けられた支持部１４で下部Ｌを、そして法面２上からそれぞれ延設された二本の線状体（例えばワイヤー）１５ａ，１５ｂで上部Ｈを、それぞれ支持させた状態で立設された支柱１６により上部Ｃを保持されたカバー体１７で前記樹木苗ｂを覆うようにしてある。ここで、「支柱支持体１３を柵状体８内の植生基材９上に設置する」とは、この実施形態のように、支柱支持体１３を植生基材９の上面９ａに設置した状態の場合（図４，９参照）のみならず、支柱支持体１３を植生基材９に若干埋設した状態の場合も含む。
【００２０】
図４〜７において、前記支柱支持体１３は、係止棒片１８と掛止棒片１９とが前記支持部１４を交点とする平面視十文字形に形成されており、線材折曲げ装置を用いて、例えば防錆加工を施した適宜太さ（例えば直径４〜５ｍｍ）のワイヤー（針金）よりなる一本の線材からいわば一筆書き状に成形して得られるものである。前記係止棒片１８は、前記係止部１１および前記係止部１２がそれぞれ一端および他端に形成されている。前記掛止棒片１９は、保護対象である前記樹木苗ｂを覆った状態の前記カバー体１７が鹿等の獣に引き抜かれないよう前記カバー体１７の下部が掛止可能な一対の掛止部２０，２０を有する。掛止部２０および２０はそれぞれ掛止棒片１９の両端に形成されており、各掛止部２０は、後述するカバー体１７の裾Ｍの下端部の折り曲げ部分１７ａ（図６参照）を挟持可能な挟持部Ｓが上下方向（両矢印ｕで示す方向）（図７参照）に沿って形成された下方開放の凹状部Ｒが二重に重ね合わされて構成されている。図７に示すように、各掛止部２０は、前記支持部１４から等間隔Ｄに位置している。さらに、前記係止棒片１８は、前記掛止部２０，２０とで前記カバー体１７の下部を強固に掛止するため前記支持部１４から等間隔Ｄの位置に形成された、掛止部２０，２０と同一形状の掛止部２１，２１を有する。なお、前記支柱支持体１３を合成樹脂成形加工機で一体成形することも可能である。
【００２１】
前記支柱１６は、例えば竹やプラスチック製の棒体で構成されている。そして、支柱１６を円筒状の棒体とした場合、支柱１６の両端部分１６ａ，１６ａを、偏平な舌片形状に形成するのが好ましい。さらに、各端部分１６ａには、線状体１５ａ，１５ｂが挿通可能な挿通穴ｈが形成されている。また、膨出体６の格子状横枠の複数箇所（この実施形態では二箇所）には、線状体１５ａおよび１５ｂの各一端部ｍが結束可能なフックｆが設けられている。なお、複数箇所にフックｆを設けなくてもよく、膨出体６の格子状横枠の一箇所にフックｆを設けるだけでもよい。この場合は、一本の線状体を用いる。一方、支柱支持体１３の中央に設けられた前記支持部１４は、嵌込まれた支柱１６の外周面１６ｂが滑らずに密着した状態でその位置が支持されるよう略円弧状の四辺ｄが平面視ループ状に合わさって形成された開口部よりなる。その開口部は、支柱１６が滑らずに挟持可能に形成された複数の窪み部分１４ａを内面に有する。なお、支柱１６を強固に嵌合させる支持部１４の構成として窪み部分１４ａを内面に有するものに限定されるものではない。
【００２２】
前記カバー体１７は伸縮性のある編物や織物からなるネットを用いて下方開口Ｐを有する傘状の袋体に予め形成されている。前記カバー体１７の材質としては、例えば植物由来の生分解素材のものが好ましいが、太陽光の透過を妨げず、通気性の良好で、新たに生じた新芽などが前記カバー体１７を通して前記カバー体１７の外部に出てしまう機会を少なくするような目合いを有するネットが好ましい。なお、カバー体１７に忌避剤を含有させておくのが鹿等の獣類による植物ｂの食害を防止する上で好ましい。
【００２３】
而して、図４〜６に示すように、前記柵状体８による空間部と膨出体６によって囲われた格子状の枠内のそれぞれに植生基材９を吹き付け（なお、図５は、便宜上柵状体８による空間部だけに植生基材９を吹き付けた状態を示している。すなわち、膨出体６によって囲われた格子状の枠内に植生基材９を吹き付ける前の状態を示している）た後、以下の作業が順次施される。
〔支柱支持体設置作業〕
柵状体８の網状柵部分８ａおよび網状体１にそれぞれ係止部１２および係止部１１を係止させた状態で、支柱支持体１３を前記柵状体８内の植生基材９の上面９ａに固定設置する（なお、図６においては便宜上支柱支持体１３設置前に柵状体８内に吹き付けられている植生基材９を省略している）。
〔支柱立設作業〕
支柱支持体１３の中央に設けられた支持部１４を通過するように支柱１６を鉛直に突き刺して、前記支持部１４により支柱１６の下部Ｌが支持される。
〔樹木苗植栽作業〕
前記柵状体８による植生基材９の収容域に樹木苗ｂ植え付ける。
〔カバー体被覆作業〕
支柱１６により上部Ｃを保持された傘状の袋体に形成されているカバー体１７の頂部Ｃ’を支柱１６上部Ｈに位置する端部分１６ａの上方からその端部分１６ａに当てがうことにより保護対象である樹木苗ｂ（図４，６には便宜上、柵状体８内に収容された植生基材９に植え付ける植物として保護対象である樹木苗ｂだけを記載している）を覆うとともに、カバー体１７の裾Ｍの下端部を所定長さＫ（図６参照）だけ内側に折り曲げ、その折り曲げ部分１７ａの四箇所を、前記掛止部２０，２０、２１，２１に形成した前記挟持部Ｓに前記掛止部２０，２０、２１，２１の下方から挿入することで前記四箇所を掛止部２０，２０，２１，２１で挟む。このように、カバー体１７の裾Ｍの複数箇所を掛止部２０，２０，２１，２１を介して支柱支持体１３に固定することにより、カバー体１７が鹿などの獣に引き抜かれないようにすることができる。なお、カバー体１７の頂部Ｃ’を支柱１６上部Ｈに対して針金等の結束線材で結束するのが好ましい。また、カバー体１７を樹木苗ｂの樹木苗トップの芯芽ｂ’よりも上方まで引っ張って被せることができる。
〔支柱固定作業〕
膨出体６の格子状横枠の二箇所に設けたフックｆ，ｆに一端部ｍが結束されている線状体１５ａおよび１５ｂの各他端部ｎを支柱１６上部Ｈに位置する上端部分１６ａに形成してある挿通穴ｈに挿通して結束する。このように、法面２上から二本の線状体１５ａおよび１５ｂを延設しており、二つの線状体１５ａおよび１５ｂが平面視において支柱１６の上端１６ｃを頂点とする三角形の二辺を形成するよう二つの線状体１５ａおよび１５ｂによって支柱１６の上部Ｈが支持されることから、支柱１６の立設状態をさらに強固に保ち続けることができる。この際、法面２が岩盤のような硬質法面の場合には、支柱１６の端部分（下端部分）１６ａは法面２に突き刺すことはできず法面２上に当接した状態で支柱１６が立設した状態となる。そして、線状体１５ａおよび１５ｂ以外に、図４に二点鎖線で示しているような補助線状体１５ｃをも支柱１６および支柱支持体１３間、あるいは、支柱１６および柵状体８間にわたり架設するのが、支柱１６の立設状態を強固に保ち続けることができる点で好ましい。この場合、補助線状体１５ｃの一端部ｍ’を、支柱１６上部Ｈに位置する端部分１６ａに形成してある挿通穴ｈに挿通して結束する一方、補助線状体１５ｃの他端部ｎ’を、支柱支持体１３の係止部１２に結束したり、柵状体８の網状柵部分８ａに結束するのが好ましい。
【００２４】
図８は、カバー体１７の変形例を示している。まず、図８（Ａ）に示すような平面視矩形形状の一枚のネット３０をその長手方向に沿って半分に折り返し、図８（Ｂ）に示すような折り返したものの上辺３１ａ，３１ｂ同士と、左辺３２ａ，３２ｂ同士を縫合することにより、下方開口３３を有するカバー体１７が作成されうる。なお、３４は、折り返し箇所、３５は、上辺３１ａ，３１ｂ同士の縫合箇所、３６は、左辺３２ａ，３２ｂ同士の縫合箇所である。
【００２５】
図９は、二本の線状体１５ａ，１５ｂを、支柱１６と網状体１を固定するための短尺の補助アンカー３との間にわたり架設するようにしたこの発明の第２の実施形態を示す。図９において、図１〜８に示した符号と同一のものは同一または相当物である。図９において、線状体１５ａ，１５ｂの一端部ｍを、補助アンカー３のフック３ａに結束する一方、線状体１５ａ，１５ｂの他端部ｎを、支柱１６上部Ｈに位置する端部分１６ａに形成してある挿通穴ｈに結束してある。
【００２６】
図１０は、カバー体１７の裾Ｍの下端部の折り曲げ部分１７ａ（図６参照）を挟むことができるように安全ピンの形状に形成されている掛止部２０，２１を備えたこの発明の第３の実施形態を示す。図１０において、図１〜９に示した符号と同一のものは同一または相当物である。
【００２７】
図１１は、支柱支持体１３の更なる変形例（この発明の第４の実施形態）を示している。図１１において、図１〜１０に示した符号と同一のものは同一または相当物である。図１１において、支柱支持体１３’は、図７に示した前記係止部１１および前記係止部１２と同じ形状および機能を有する前記係止部１１’および前記係止部１２’が、それぞれ一端および他端に形成されている係止棒片１８’を有するとともに、植物を覆った状態の前記カバー体１７が鹿等の獣に引き抜かれないよう前記カバー体１７の下部が掛止可能な一対のフック２０’，２０’を両端に有する掛止棒片１９’を有している。そして係止棒片１８’と掛止棒片１９’は溶接、接着あるいは結束等により一体とされており、また、植物を覆った状態の前記カバー体１７が鹿等の獣に引き抜かれないよう前記カバー体１７の下部が掛止可能な一対のフック２１’，２１’がそれぞれ係止棒片１８’に溶接、接着等により連設されている。また、前記支柱１６の下部Ｌを支持する支持部１４’を係止棒片１８’の中間部寄りに形成する一方、掛止棒片１９’の中間部を係止棒片１８’の中間部に上述したように溶接、接着あるいは結束等により一体化して、係止棒片１８’と掛止棒片１９’を平面視十文字形に配置してある。なお、支持部１４’は円筒状の棒体である支柱１６を挿通した際に径方向に延伸して支柱１６を押圧しながら支持しうる機能を有するリング体で構成される。また、フック２０’，２０’、２１’，２１’をカバー体１７の前記折り曲げ部分１７ａ等に直接突き刺すことでカバー体１７の下部（裾）Ｍが掛止される。
【００２８】
なお、支柱１６の中間部を支持部１４により支持するようにしてもよい。また、図１２に示すように、膨出体６の格子状横枠に沿わせるようにしてその下方部位に、前記柵状体８を立ち上げ設置してもよい。また、図１３に示すように、前記柵状体８を膨出体６の格子状縦枠にも沿わせて設置してもよい。
【００２９】
また、上記各実施形態では、支柱支持体を柵状体内の植生基材上に設置した例を示したが、この発明では、植生基材を柵状体内に収容する前に、支柱支持体を柵状体内に設置するようにしてもよい。
【符号の説明】
【００３０】
１              網状体
２              法面
４              鉄筋
６              膨出体
９              植生基材
８              柵状体
１１            一端側の係止部
１２            他端側の係止部
１３            支柱支持体
１４            支持部
１６            支柱
１５ａ，１５ｂ  線状体
１７            カバー体
ｂ              樹木苗（植物）
Ｌ              支柱の下部
Ｈ              支柱の上部
Ｃ              カバー体の上部
【図１】
0005660969.tif 000002
【図２】
0005660969.tif 000003
【図３】
0005660969.tif 000004
【図４】
0005660969.tif 000005
【図５】
0005660969.tif 000006
【図６】
0005660969.tif 000007
【図７】
0005660969.tif 000008
【図８】
0005660969.tif 000009
【図９】
0005660969.tif 000010
【図１０】
0005660969.tif 000011
【図１１】
0005660969.tif 000012
【図１２】
0005660969.tif 000013
【図１３】
0005660969.tif 000014
【図１４】
0005660969.tif 000015